(57)【特許請求の範囲】
【請求項１】
主装置と、この主装置に接続された親機と、この親機と無線によりデータを送受信する子機とを備えた無線送受信装置において、
前記主装置は、
前記主装置及び前記親機と前記子機とに設定すべき装置運用情報を設定する第１の設定手段と、
前記主装置を、前記装置運用情報を登録するための登録モードと、通常のデータ送受信のための通常運用モードとのいずれかで動作させるよう切り換える切換手段と、
前記切換手段によって前記主装置を前記登録モードで動作させたとき、前記親機に対して前記登録モードである旨を示す第１のコマンド及び前記設定手段によって設定された装置運用情報を通知し、前記切換手段によって前記主装置を前記通常運用モードで動作させたとき、前記親機に対して、前記通常運用モードである旨を示す第２のコマンド及び前記設定手段によって設定された装置運用情報を通知する通知手段とを有し、
前記親機は、
前記通知手段によって前記第１のコマンドが通知されたとき及び前記第２のコマンドが通知されたとき、前記通知手段によって通知された装置運用情報を前記親機に設定する第２の設定手段と、
前記通知手段によって前記第１のコマンドが通知されたとき、前記通知手段によって通知された装置運用情報を含む装置運用情報登録メッセージを前記子機に対して送信し、前記通知手段によって前記第２のコマンドが通知されたとき、前記装置運用情報登録メッセージを前記子機に対して送信しない送信手段とを有し、
前記子機は、
装置運用情報を格納するための不揮発性メモリと、
前記送信手段によって送信された装置運用情報登録メッセージを受信する受信手段と、
前記受信手段が受信した装置運用情報登録メッセージに含まれる装置運用情報を前記不揮発性メモリに書き込む書込手段とを有する
ことを特徴とする無線送受信装置。
【請求項２】
前記装置運用情報は、前記親機と前記子機とが無線にてデータを送受信する際の無線の運用周波数を少なくとも含むことを特徴とする請求項１記載の無線送受信装置。
【請求項３】
前記不揮発性メモリには装置運用情報が予め記憶されており、
前記受信手段が前記装置運用情報登録メッセージを受信した場合には、前記書込手段は、前記装置運用情報登録メッセージに含まれる装置運用情報を前記不揮発性メモリに上書きすることを特徴とする請求項１または２に記載の無線送受信装置。
【発明の詳細な説明】
【０００１】
【発明の属する技術分野】
本発明は、ワイヤレスインターカムシステムのような、主装置と親機と子機とよりなる無線送受信装置に係り、特に、運用周波数等の装置運用情報の設定や変更の方法を改良した無線送受信装置に関する。
【０００２】
【従来の技術】
図７は、主装置と親機と子機とよりなる従来の無線送受信装置の一例を示すブロック図である。図７において、主装置１には、親機２が有線にて接続されている。主装置１は、ＣＰＵ１１と、種々の情報を格納したＲＯＭ１２と、親機２と接続するための親機接続部１３と、設定スイッチ１４とを備える。主装置１に複数の親機２が接続されることもある。
【０００３】
親機２は、ＣＰＵ２１と、種々の情報を格納したＲＯＭ２２と、主装置１の親機接続部１３と接続するための主装置接続部２３と、設定スイッチ２４と、無線制御部２５と、アンテナ２６を備える。親機２は、無線により子機３とアナログ音声データや制御データを送受信する。ここでは子機３を１つしか図示していないが、親機２は、複数の子機３と送受信する。子機３は、ＣＰＵ３１と、種々の情報を格納したＲＯＭ３２と、主装置１との間、または、他の子機３との間で送話するための送話ボタン３３と、設定スイッチ３４と、無線制御部３５と、アンテナ３６を備える。
【０００４】
このように構成される無線送受信装置において、主装置１と親機２と子機３それぞれで、同じ装置運用情報を設定しておく必要がある。装置運用情報とは、主装置１と親機２と子機３よりなる無線送受信装置を運用させるに必要な種々の情報であり、無線の運用周波数や、複数の子機３のグループ分け等の情報を含む。なお、ワイヤレスインターカムシステムでは、ＡＲＩＢのＳＴＤ−２０という規格に準拠し、４００ＭＨｚ帯の運用周波数を用いる。無線送受信装置では、電波状況の悪化等の理由により、運用周波数を変更する場合がある。
【０００５】
【発明が解決しようとする課題】
図７に示す従来の無線送受信装置において、装置運用情報を変更する場合には、主装置１，親機２，子機３それぞれの設定スイッチ１４，２４，３４を操作することによって、装置運用情報を変更する必要があった。また、装置運用情報を予めＲＯＭ１２，２２，３２に格納しておく方法もあるが、この場合には、ＲＯＭ１２，２２，３２を書き換える（取り換える）必要があった。
【０００６】
親機２や子機３の台数が多い場合には、装置運用情報の変更にかなりの時間と煩雑さを要し、簡単に無線送受信装置全体の装置運用情報を変更することができる無線送受信装置が望まれていた。
【０００７】
本発明はこのような問題点に鑑みなされたものであり、簡単かつ短時間に無線送受信装置全体の装置運用情報を変更することができる無線送受信装置を提供することを目的とする。
【０００８】
【課題を解決するための手段】
本発明は、上述した従来の技術の課題を解決するため、主装置（１０）と、この主装置に接続された親機（２０）と、この親機と無線によりデータを送受信する子機（３０）とを備えた無線送受信装置において、前記主装置は、前記主装置及び前記親機と前記子機とに設定すべき装置運用情報を設定する第１の設定手段（１０４）と、前記主装置を、前記装置運用情報を登録するための登録モードと、通常のデータ送受信のための通常運用モードとのいずれかで動作させるよう切り換える切換手段（１０４）と、前記切換手段によって前記主装置を前記登録モードで動作させたとき、前記親機に対して、前記登録モードである旨を示す第１のコマンド及び前記設定手段によって設定された装置運用情報を通知し、前記切換手段によって前記主装置を前記通常運用モードで動作させたとき、前記親機に対して、前記通常運用モードである旨を示す第２のコマンド及び前記設定手段によって設定された装置運用情報を通知する通知手段（１０３）とを有し、前記親機は、前記通知手段によって前記第１のコマンドが通知されたとき及び前記第２のコマンドが通知されたとき、前記通知手段によって通知された装置運用情報を前記親機に設定する第２の設定手段（２０１）と、前記通知手段によって前記第１のコマンドが通知されたとき、前記通知手段によって通知された装置運用情報を含む装置運用情報登録メッセージを前記子機に対して送信し、前記通知手段によって前記第２のコマンドが通知されたとき、前記装置運用情報登録メッセージを前記子機に対して送信しない送信手段（２０５）とを有し、前記子機は、装置運用情報を格納するための不揮発性メモリ（３０７）と、前記送信手段によって送信された装置運用情報登録メッセージを受信する受信手段（３０５）と、前記受信手段が受信した装置運用情報登録メッセージに含まれる装置運用情報を前記不揮発性メモリに書き込む書込手段（３０１）とを有することを特徴とする無線送受信装置を提供する。
また、この構成において、前記装置運用情報は、前記親機と前記子機とが無線にてデータを送受信する際の無線の運用周波数を少なくとも含むことを特徴とする無線送受信装置を提供する。
さらに、以上の構成において、前記不揮発性メモリには装置運用情報が予め記憶されており、前記受信手段が前記装置運用情報登録メッセージを受信した場合には、前記書込手段は、前記装置運用情報登録メッセージに含まれる装置運用情報を前記不揮発性メモリに上書きすることを特徴とする無線送受信装置を提供する。
【０００９】
【発明の実施の形態】
以下、本発明の無線送受信装置について、添付図面を参照して説明する。図１は本発明の無線送受信装置の一実施形態を示すブロック図、図２は本発明の無線送受信装置の動作を説明するためのフローチャート、図３〜図６は本発明の無線送受信装置で送受信するデータ構造の一例を示す図である。
【００１０】
図１において、主装置１０には、親機２０が有線にて接続されている。主装置１０は、ＣＰＵ１０１と、種々の情報を格納したＲＯＭ１０２と、親機２０と接続するための親機接続部１０３と、設定スイッチ１０４とを備える。主装置１０に複数の親機２０が接続されることもある。
【００１１】
親機２０は、ＣＰＵ２０１と、種々の情報を格納したＲＯＭ２０２と、主装置１０の親機接続部１０３と接続するための主装置接続部２０３と、無線制御部２０５と、アンテナ２０６を備える。親機２０は、無線により子機３０とアナログ音声データや制御データを送受信する。ここでは子機３０を１つしか図示していないが、親機２０は、複数の子機３０と送受信する。
【００１２】
子機３０は、ＣＰＵ３０１と、種々の情報を格納したＲＯＭ３０２と、主装置１０との間、または、他の子機３０との間で送話するための送話ボタン３０３と、無線制御部３０５と、アンテナ３０６と、不揮発性メモリ（EEPROM）３０７とを備える。なお、子機３０は、送話のためのマイクロホンやスピーカを備えるが、ここでは図示を省略している。
【００１３】
子機３０の不揮発性メモリ３０７には、無線送受信装置の工場出荷時に、予め運用周波数のデータテーブル等の装置運用情報が初期情報として記憶されている。一例として、１つの主装置１０に対して８つの親機２０を設け、１つの親機２０を１つのエリアとしたシステムの場合、不揮発性メモリ３０７には、８つのエリア全ての運用周波数を記憶させておく。
【００１４】
このように構成される無線送受信装置の装置運用情報の設定または変更の方法について説明する。図１に示す無線送受信装置は、装置運用情報を登録する際のモードである装置運用情報登録モードと、音声データの送受信を行う通常運用モードとの２つのモードを有する。主装置１０の設定スイッチ１０４を切り換えることによって、装置運用情報登録モードと通常運用モードとを選択することができる。設定スイッチ１０４は、装置運用情報の設定のためにも使用される。
【００１５】
設定スイッチ１０４によって装置運用情報登録モードを選択して主装置１０を起動すると、ＣＰＵ１０１は、設定スイッチ１０４より装置運用情報を読み出す。すると、親機接続部１０３は、ＣＰＵ１０１の制御により、親機２０に対して、装置運用情報登録モードである旨を示すコマンドを送信すると共に、装置運用情報を通知する。これにより、親機２０は、装置運用情報登録モードの動作開始が指示される。
【００１６】
親機２０の主装置接続部２０３が装置運用情報を受け取り、ＣＰＵ２０１が装置運用情報登録モードの動作開始であることを認識すると、ＣＰＵ２０１は、受け取った装置運用情報を無線制御部２０５に設定する。これにより、親機２０には、主装置１０より通知された装置運用情報が設定される。さらに、無線制御部２０５は、装置運用情報登録モードの通知に応答して、ＣＰＵ２０１の制御により、アンテナ２０６を介して、装置運用情報登録メッセージを連続的にまたは一定周期で送信し続ける。この装置運用情報登録メッセージは、子機３０に設定すべき装置運用情報を含む。
【００１７】
一方、子機３０のＣＰＵ３０１は、電源投入直後、不揮発性メモリ３０７から装置運用情報を読み出し、運用周波数を含む装置運用情報の各種設定を行う。その後、無線制御部３０５が、アンテナ３０６を介して、親機２０が送信する装置運用情報登録メッセージを受信すると、ＣＰＵ３０１は、その装置運用情報登録メッセージに含まれている装置運用情報を不揮発性メモリ３０７に上書きする。複数の子機３０は、それぞれ電源を投入することにより、複数の子機３０の全てにおいて、装置運用情報が不揮発性メモリ３０７に上書きされ、装置運用情報が設定（変更）される。
【００１８】
次に、通常運用モードでの動作について説明する。設定スイッチ１０４によって通常運用モードを選択して主装置１０を起動すると、ＣＰＵ１０１は、設定スイッチ１０４より装置運用情報を読み出す。すると、親機接続部１０３は、ＣＰＵ１０１の制御により、親機２０に対して、通常運用モードである旨を示すコマンドを送信すると共に、装置運用情報を通知する。これにより、親機２０は、通常運用モードの動作開始が指示される。
【００１９】
親機２０の主装置接続部２０３が装置運用情報を受け取り、ＣＰＵ２０１が通常運用モードの動作開始であることを認識すると、ＣＰＵ２０１は、受け取った装置運用情報を無線制御部２０５に設定する。これにより、親機２０には、主装置１０より通知された装置運用情報が設定される。そして、親機２０は、通常運用動作として、主装置接続部２０３を介しての主装置１０からの発呼や、無線制御部２０５を介しての子機３０からの発呼を待つ。
【００２０】
一方、子機３０のＣＰＵ３０１は、電源投入直後、不揮発性メモリ３０７から装置運用情報を読み出し、運用周波数を含む装置運用情報の各種設定を行う。その後、子機３０は、通常運用動作として、無線制御部３０５を介しての親機２０からの発呼、送話ボタン３０３の押下による自己からの発呼を待つ。
【００２１】
図２を用いて、子機３０の動作についてさらに説明する。図２において、ステップＳ１にて、子機３０の電源が投入されると、ステップＳ２にて、ＣＰＵ３０１は、不揮発性メモリ３０７より運用周波数等の装置運用情報を読み出す。そして、ステップＳ３にて、ＣＰＵ３０１は、無線制御部３０５に装置運用情報を設定する。ステップＳ４にて、無線制御部３０５経由で親機２０からのメッセージを受信したか否かを判定する。メッセージを受信したと判定されれば、ステップＳ５に移り、メッセージを受信したと判定されなければ、ステップＳ４に戻る。
【００２２】
ステップＳ５にて、受信したメッセージが装置運用情報登録メッセージであるか否かを判定する。受信したメッセージが装置運用情報登録メッセージであると判定されれば、ステップＳ６に移る。ステップＳ６にて、受信した装置運用情報を不揮発性メモリ３０７に格納し、ステップＳ７にて、装置運用情報の登録（設定）を完了する。
【００２３】
一方、受信したメッセージが装置運用情報登録メッセージであると判定されなければ、ステップＳ８に移る。ステップＳ８にて、受信したメッセージが通常運用メッセージであるか否かを判定する。受信したメッセージが通常運用メッセージであると判定されれば、ステップＳ９にて、通常運用動作を行う。受信したメッセージが通常運用メッセージであると判定されなければ、ステップＳ４に戻る。
【００２４】
なお、無線送受信装置は、通常、電波を送受信することができる複数のエリアを有しており、上記の図２の動作は、各エリア毎の装置運用情報に対して行われる。図２では簡略化のため図示していないが、実際には、１つのエリアの装置運用情報を設定して、図２の動作を終了すると、ステップＳ３に戻り、各エリアの装置運用情報を設定する。
【００２５】
ここで、親機２０と子機３０とが送受信するデータのフォーマットについて説明する。親機２０と子機３０とが無線にて送受信するデータは、アナログ音声データとＭＳＫ（Minimum Shift Keying）データによる制御データである。この制御データには、制御チャンネルにて送受信される装置運用情報設定のための登録動作用データと通常動作用データ、及び、通話チャンネルにて送受信される発呼／発呼確認用データと切断用データがある。
【００２６】
図３は、制御チャンネルにて送受信される登録動作用データ（装置運用情報登録メッセージ）の例を示している。登録動作用データは、図３（Ａ）に示すように、ビット同期パターン，フレーム同期パターン，システム情報，エリア情報，ＣＲＣ（Cyclic Redundancy Check）データよりなる。システム情報とエリア情報が上述した装置運用情報に相当する。システム情報は、図３（Ｂ）に示すように、会社コード（無線送受信装置の製造者），店コード（無線送受信装置の設置場所），フォーマットコードよりなる。エリア情報は、図３（Ｃ）に示すように、エリア１〜８の情報，待受け用トーン周波数，通話用トーン周波数よりなる。
【００２７】
エリア１〜８の情報は、それぞれ、図３（Ｄ）に示すように、エリア番号，グループ番号，ＴＣ周波数，ＴＳ周波数，Ｒ１周波数，Ｒ２周波数，Ｒ３周波数，Ｒ４周波数よりなる。なお、ＴＣ周波数とは制御用送信機の送信周波数、ＴＳ周波数とは通話用送信機の送信周波数を意味する。Ｒ１〜Ｒ４周波数とは、４つ設けられている通話用受信機の受信周波数を意味する。通話用受信機は４つに限定されない。
【００２８】
上述した装置運用情報登録モードにおいて、子機３０が図３に示すデータを受信すると、不揮発性メモリ３０７には、図３（Ｂ）〜（Ｄ）に示す梨地模様を付したデータが書き込まれる。
【００２９】
図４は、制御チャンネルにて送受信される通常動作用データ（通常運用メッセージ）の例を示している。通常動作用データは、図４（Ａ）に示すように、ビット同期パターン，フレーム同期パターン，装置運用情報，制御情報，子機発呼受付情報，ＣＲＣデータよりなる。装置運用情報は、図４（Ｂ）に示すように、会社コード，店コード，フォーマットコードよりなる。制御情報は、図４（Ｃ）に示すように、エリア番号，グループ番号，現在の通話種別，受信親機状態，エリア状態よりなる。子機発呼受付情報は、図４（Ｄ）に示すように、発呼確認メッセージと対象子機番号よりなる。
【００３０】
図５は、通話チャンネルにて送受信される発呼／発呼確認用データの例を示している。発呼／発呼確認用データは、図５（Ａ）に示すように、ビット同期パターン，フレーム同期パターン，システム情報，制御情報，ＣＲＣデータよりなる。システム情報は、図５（Ｂ）に示すように、会社コード，店コード，フォーマットコードよりなる。制御情報は、図５（Ｃ）に示すように、対局コードと自局コードよりなる。対局コードと自局コードは、それぞれ、図５（Ｄ）に示すように、発呼／発呼確認種別と機器番号よりなる。
【００３１】
図６は、通話チャンネルにて送受信される切断用データの例を示している。切断用データは、ビット同期パターン，フレーム同期パターン，切断データよりなる。なお、図３に示す登録動作用データと図４に示す通常動作用データと図５に示す発呼／発呼確認用データは、システム情報に含まれるフォーマットコードによって互いのデータの識別が行われる。
【００３２】
【発明の効果】
以上詳細に説明したように、本発明の無線送受信装置は、主装置の設定手段によって装置運用情報を設定し、この装置運用情報を親機に送信し、さらに、親機が子機に装置運用情報を送信し、装置運用情報を受信した子機は装置運用情報を不揮発性メモリに書き込むようにしたので、簡単かつ短時間に無線送受信装置全体の装置運用情報を変更することができる。よって、子機が複数ある場合でも、一斉に、あるいは、電源を投入した順に順次、子機に装置運用情報を設定することができる。
【図面の簡単な説明】
【図１】本発明の一実施形態を示すブロック図である。
【図２】本発明の動作を説明するためのフローチャートである。
【図３】本発明で送受信するデータ構造の一例を示す図である。
【図４】本発明で送受信するデータ構造の一例を示す図である。
【図５】本発明で送受信するデータ構造の一例を示す図である。
【図６】本発明で送受信するデータ構造の一例を示す図である。
【図７】従来例を示すブロック図である。
【符号の説明】
１０  主装置
２０  親機
３０
１０１，２０１，３０１  ＣＰＵ
１０２，２０２，３０２  ＲＯＭ
１０３  親機接続部
１０４  設定スイッチ
２０３  主装置接続部
２０５，３０５  無線制御部
３０３  送話ボタン
３０７  不揮発性メモリ
【図１】
0003951783.tif 000002
【図２】
0003951783.tif 000003
【図３】
0003951783.tif 000004
【図４】
0003951783.tif 000005
【図５】
0003951783.tif 000006
【図６】
0003951783.tif 000007
【図７】
0003951783.tif 000008